(57)【要約】【課題】  本願発明は、胴部壁に減圧吸収パネルを有する大型の角型壜体において、壜体としての外観、剛性、ライン適正を損なうことなく、掴持性が大幅に改良された合成樹脂製の角型壜体を提供することを目的とする。【解決手段】  胴部の中央高さ位置に周溝状のウエスト部を有する角型壜体において、長方形状の長辺側を形成する一対の平坦壁において、段部により周囲を囲って、このウエスト部の下方に一対の減圧吸収パネルを陥没形成し、減圧吸収パネルにおいて、この減圧吸収パネルの底壁を平断面で見て凹状にして、減圧吸収パネルの膨出変形を抑制するための縦溝リブを縦断形成し、ウエスト部の、減圧吸収パネルの上方位置に、このウエスト部の横溝状の形状をさらに深く、幅広にして、指掛け用の凹部を形成し、これら一対の減圧吸収パネルと掛け用の凹部により壜体を掴持するための掴持部分を構成する。【選択図】              図１
2007290762.tif 000002
【特許請求の範囲】
【請求項１】
平断面形状が長方形状の胴部(4)を有し、該胴部(4)の中央高さ位置に周溝状のウエスト部(6)を有する角型壜体であって、前記長方形状の長辺側を形成する一対の平坦壁(11L)において、段部(10)により周囲を囲って、ウエスト部(6)の下方に一対の減圧吸収パネル(13)を陥没形成し、該減圧吸収パネル(13)において該減圧吸収パネル(13)の底壁(13b)を平断面で見て凹状にして、該減圧吸収パネル(13)の膨出変形を抑制するための縦溝リブ(16)を縦断形成し、前記ウエスト部(6)の、前記減圧吸収パネルの上方位置に、該ウエスト部(6)の横溝状の形状を深く、幅広にして一対の指掛け用の凹部(6a)を形成し、前記一対の減圧吸収パネル(13)と一対の凹部(6a)により壜体を掴持するための掴持部分を構成した合成樹脂製角型壜体。
【請求項２】
減圧吸収パネル(13)の左右中央位置に１本の縦溝リブ(16)を形成し、該縦溝リブ(16)を平断面形状がコの字状の角溝形状とした請求項１記載の合成樹脂製角型壜体。
【請求項３】
底壁(13b)において、縦溝リブ(16)の左右位置に複数の横リブを並列状に形成した請求項２記載の合成樹脂製角型壜体。
【請求項４】
減圧吸収パネル(13)の底壁(13b)の陥没深さの平均値を、長方形状の胴部(4)の短辺側の幅(W2)の４〜１５％の範囲とした請求項１、２または３記載の合成樹脂製角型壜体。
【発明の詳細な説明】
【技術分野】
【０００１】
本発明は特に大型の合成樹脂製角形壜体、特に高温充填の必要な用途に使用され、胴部に減圧吸収パネルを有する耐熱性の合成樹脂製角形壜体に関するものである。
【背景技術】
【０００２】
従来より、ポリエチレンテレフタレート（以下ＰＥＴと記す。）樹脂製等の合成樹脂製壜体は、各種飲料用、食品用等の容器として広く利用されているが、特に容量が２L程度の大型になると、用途に応じて、手で確実に掴持するため把手を付設したりする。
また、把手を付設しない場合には、胴部に手で掴持し易いようにくびれ部を設けたりすることがあり、また、角型壜体では胴部の中央高さ位置に形成されたウエスト部の一部に指掛となる凹部を形成する方法が一般的である（たとえば特許文献１の図１参照）。
【０００３】
一方、従来、殺菌を必要とするたとえば果汁飲料、お茶等の内容液のＰＥＴ樹脂製壜体等の合成樹脂製壜体への充填方法として、所謂高温充填法と呼ばれる方法があり、９０℃前後の温度で内容液を壜体に充填し、キャップをして密封後、冷却するものであり、壜体内がかなりの減圧状態となる。
【０００４】
このため、上記のような高温充填が必要な用途については、胴部に意図的に減圧により陥没状の変形が容易な領域である減圧吸収パネルを形成する。壜体が減圧状態になった際に、この減圧吸収パネルが優先的に陥没変形して、壜体としての良好な外観を保持すると共に、壜体の搬送ライン、積重保管におけるトラブルがないようにしている。
【特許文献１】特開２００２−１４５２３３号公報
【発明の開示】
【発明が解決しようとする課題】
【０００５】
前述したように、大型の角型壜体では胴部の中央高さ位置に形成されたウエスト部の一部に指掛となる凹部を形成する方法が一般的であり、この方法は壜体形状を大きく変える必要はないが、凹部の形成できる範囲も限定されるので、相対向する凹部に親指と人差し指を指掛けして掴持する程度であり、内容液を充填した場合の重量を考慮すると、その掴持性は必ずしも十分ではない。
また、逆に掴持性を十分に発揮せしめるように胴部に単に大きな凹部を形成しようとすると、壜体形状を大きく変える必要があり、また加圧充填法で内容液を充填する場合には、当該工程に伴う加圧により壜体が大きく膨張変形してしまうと云う問題が起こる。
【０００６】
そこで、本願発明は、胴部壁に減圧吸収パネルを有する大型の角型壜体において、壜体としての外観、剛性、ライン適正等を損なうことなく、掴持性が大幅に改良された合成樹脂製の角型壜体を提供することを目的とする。
【課題を解決するための手段】
【０００７】
上記技術的課題を解決する請求項１記載の発明の手段は、
平断面形状が長方形状の胴部を有し、胴部の中央高さ位置に周溝状のウエスト部を有する角型壜体であって、
長方形状の長辺側を形成する一対の平坦壁において、段部により周囲を囲って、このウエスト部の下方に一対の減圧吸収パネルを陥没形成すること、
減圧吸収パネルにおいて、この減圧吸収パネルの底壁を平断面で見て凹状にして、減圧吸収パネルの膨出変形を抑制するための縦溝リブを縦断形成すること、
ウエスト部の、減圧吸収パネルの上方位置に、このウエスト部の横溝状の形状を深く、幅広にして、一対の指掛け用の凹部を形成すること、
これら一対の減圧吸収パネルと一対の掛け用の凹部により壜体を掴持するための掴持部分を構成すること、
にある。
【０００８】
請求項１記載の上記構成は、各種飲料用、食品用等の高温充填の必要な用途に使用され、減圧状態での壜体の変形を外観上目立たないように吸収する機能（以下、減圧吸収機能と記す。）を有する減圧吸収パネルを胴部に配設した合成樹脂製角形壜体に適用され、ウエスト部に形成した指掛け用の凹部と共に、この減圧吸収パネルを利用して壜体の掴持性を確保しようとするものである。
【０００９】
すなわち、請求項１記載の上記構成により、長辺側を形成する一対の平坦壁において、ウエスト部の下方に一対の減圧吸収パネルを形成し、またウエスト部の、減圧吸収パネルの上方位置に、一対の指掛け用の凹部を形成して、この一対の指掛け用の凹部と共に、一対の減圧吸収パネルを利用して掴持部分とするので、壜体の形状を大きく変更することなく掴持部分を形成することができる。
そして、大型の角形壜体では減圧吸収パネルを大きく形成することができるので、ウエスト部だけで掴持部を構成する場合に比較して、手の平全体で壜体を掴持することができ、特に内容液の残量が多く、重量が重い場合でも安定して壜体を掴持し、内容液を注ぐことができる。
【００１０】
例えば、一方の平坦壁でウエスト部の指掛け用の凹部に第１指の指先を嵌入するように当てて、他方の平坦壁では第２指の指先を同様に凹部に嵌入するように当てると共に、第３指と第４指あるいは第５指も含めて、指先をこの他方の平坦壁の凹部の下方に形成された減圧吸収パネル内に入れて、この減圧吸収パネル周囲に形成されている段部に指先を係止させるようにして壜体をしっかりと掴持することができる。
【００１１】
そして、上記のように壜体を掴持する場合には、第３指と第４指あるいは第５指の指先を縦溝リブに引っ掛けることができ、横方向の滑りに係る係止機能が発揮されるので、凹部による第１指と第２指に対する上下方向への係止機能と相俟って壜体を、正立、倒立、あるいは斜め等のいろんな姿勢で安定して掴持することができる。
【００１２】
ここで、減圧吸収パネルを利用して掴持部を構成する場合には、十分な掴持性を得るために、この減圧吸収パネルの陥没深さを比較的深くするので、加圧充填法で内容液を充填する場合には、当該工程での内圧上昇に伴い減圧吸収パネルが反転状に大きく膨出変形してしまい、復元できなくなってしまう傾向があるが、請求項１中の「減圧吸収パネルの底壁を平断面で見て凹状にして、減圧吸収パネルの膨出変形を抑制するための縦溝リブを縦断形成する」と云う構成要件により、充填時の内圧上昇に伴う減圧吸収パネルの膨出変形を効果的に抑制することができ、加圧充填工程にも安心して使用することができる。
【００１３】
なお、平坦壁における減圧吸収パネルの配設位置は、左右中心位置に限定されず、壜体胴部の幅等を考慮して掴持性の観点から左右方向にずらし、オフセット状に配設することもできる。
また、縦溝リブの幅、高さ、断面形状、減圧吸収パネル内で配設する左右位置等は、膨出変形の抑制効果、掴持部分としての機能、さらには減圧吸収機能等を考慮して適宜決めることができる設計事項であり、さまざまなバリエーションがある。また縦溝リブは１ケに限定されるものではなく、抑制効果、減圧吸収機能、掴持性等を総合的に考慮して複数形成することもできる。
【００１４】
請求項２記載の発明の手段は、請求項１記載の発明において、減圧吸収パネルの左右中央位置に１本の縦溝リブを形成し、この縦溝リブを平断面形状がコの字状の角溝形状とすること、にある。
【００１５】
請求項２記載の上記構成は縦溝リブの最も基本的な形状と配設位置に係るものであり、縦溝リブを減圧吸収パネルの左右中央位置に１本形成することにより、また、縦溝リブを平断面形状がコの字状の角溝形状とすることにより、この減圧吸収パネルの膨出変形を効果的に抑制することができる。
また、縦溝リブを平断面形状がコの字状の角溝形状とすることにより、掴持する指先の横方向への滑りに係る防止効果がより確実に発揮される。
【００１６】
請求項３記載の発明の手段は、請求項２記載の発明において、減圧吸収パネルの底壁の縦溝リブの左右位置に複数の横リブを並列状に形成すること、にある。
【００１７】
請求項３記載の上記構成により、縦溝リブの左右位置に複数の横リブを並列状に形成することにより、減圧吸収パネルが広い面積になっても、減圧時における陥没変形を減圧吸収パネル全体にスムーズに進展させることができる。
なお、横リブとしては横突条、横溝、階段状の凸部、あるいは凹部等を適宜形成することができるが、縦溝リブに比較してその凹凸の程度を低く設定して減圧時に陥没変形の程度が制限されないようにする。
【００１８】
請求項４記載の発明の手段は、請求項１、２または３記載の発明において、減圧吸収パネルの底壁の陥没深さの平均値を、長方形状の胴部の短辺側の幅の４〜１５％の範囲とすること、にある。
【００１９】
段部における段差を大きくして指先を係止したり引っ掛け易くできるので、掴持性の点からは陥没深さを大きくすることが望ましいが、一方陥没深さを大きくしすぎると、内圧の上昇による反転状の膨出変形の回復が困難となる、減圧吸収機能が低下する、さらにはブロー成形性時おける賦形性が低下する、そして容量にバラツキが発生する等の問題が生じる。
ここで請求項４記載の上記構成により、減圧吸収パネルの底壁の陥没深さの平均値を、長方形状の胴部の短辺側の幅の４〜１５％の範囲とすることにより、上記した問題をクリアしながら掴持性を十分に発揮させることができる。
【発明の効果】
【００２０】
本発明は、上記した構成となっているので、以下に示す効果を奏する。
請求項１記載の発明にあっては、ウエスト部の指掛け用の凹部と共に、減圧吸収パネルを利用して掴持部分とするので、壜体の形状を大きく変更することなく掴持部分を構成することができ、凹部、減圧吸収パネルの段部あるいは縦溝リブを利用して各指先に上下方向あるいは左右方向への係止機能が発揮され、壜体を、正立、倒立、あるいは斜め等のいろんな姿勢で安定して掴持することができる。
【００２１】
また、縦溝リブを縦断形成することにより、内容液の加圧充填工程に伴う掴持部とする減圧吸収パネルの反転状の膨出変形を防止することができる。
【００２２】
請求項２記載の発明にあっては、縦溝リブの最も基本的な形状と配設位置に係るものであり、縦溝リブを減圧吸収パネルの左右中央位置に１本の形成することにより、また、縦溝リブを平断面形状がコの字状の角溝形状とすることにより、この減圧吸収パネルの膨出変形を効果的に抑制することができる。
【００２３】
請求項３記載の発明にあっては、縦溝リブの左右位置に複数の横リブを並列状に形成することにより、減圧吸収パネルが広い面積になっても、減圧時における陥没変形を減圧吸収パネル全体にスムーズに進展させることができる。
【００２４】
請求項４記載の発明にあっては、減圧吸収パネルの底壁の陥没深さの平均値を、長方形状の胴部の短辺側の幅の４〜１５％の範囲とすることにより、反転状の膨出変形の発生、減圧吸収機能の低下、ブロー成形性時おける賦形性の低下等の問題を効果的にクリアしながら、掴持性を十分に発揮させることができる。
【発明を実施するための最良の形態】
【００２５】
以下本発明の実施の形態を図面を参照して説明する。
図１〜図６は本発明の合成樹脂製角型壜体の一実施例を示すものである。図１は正面図、図２は側面図、図３は図１中のＡ−Ａ線、Ｂ−Ｂ線に沿って示す平断面図、また、図４（ａ）は図１中のＣ−Ｃ線に沿って示す平断面図であり、（ｂ）は手で掴持した状態を示す説明図である。
そして、図５は図１中の減圧吸収パネル近傍の正面図、図６（ａ）は図５中のＬ−Ｌ線、（ｂ）はＭ−Ｍ線に沿って示す縦断面、そして図７（ａ）は図５中のＥ−Ｅ線、（ｂ）はＦ−Ｆ線に沿って示す縦断面である。
【００２６】
この壜体１はＰＥＴ樹脂製の二軸延伸ブロー成形品であり、口筒部２、肩部３、胴部４、底部５を有し、通称容量が２Ｌの角型壜体である。胴部４は４ケの平坦壁１１と、隣接する平坦壁１１を角取り状に連結する４ケの角壁１２で形成されており、図３（ａ）に示すようにその基本的な平断面形状は長方形状である。
【００２７】
ここで、平坦壁１１には長方形状の長辺側を形成する一対の平坦壁１１Ｌと、短辺側を形成する一対の平坦壁１１Ｓがある。また、胴部４の略中央高さ位置には壜体１の剛性を高くするために周溝状にウエスト部６が形成されている。
【００２８】
長辺側を形成する幅広の平坦壁１１Ｌには、ウエスト部６の直下に、掴持部の一部を構成する減圧吸収パネル１３が、周囲を段部１０により囲った状態で陥没形成されている。またウエスト部６の上方には従来より使用されている通常の減圧吸収パネル１９が形成されている。
【００２９】
また、ウエスト部６の、減圧吸収パネル１３の上方位置には、この横溝状のウエスト部６をさらに深く、幅広に陥没させて指掛け用の凹部６ａが形成されている。（図３（ｂ）、図６（ａ）、（ｂ）、図７（ａ）等を参照）
この構成により、掴持した指の一部をこの凹部６ａに嵌入状に当てることができ、上下方向への係止機能が発揮され、壜体１の上下方向の滑りを確実に防ぐことができる。
【００３０】
掴持部として利用する減圧吸収パネル１３は、上記のウエスト部を利用して形成した指掛け用の凹部６ａと共に、壜体１の掴持部を構成するものであり、次の（１）と（２）に説明する特徴的な形状を有し、その機能を発揮する。
【００３１】
（１）底壁１３ｂの陥没深さＤを９ｍｍと深く形成している。（図４（ａ）、図７（ｂ）参照）
なお通常の減圧吸収パネル、たとえば本実施例の壜体の減圧吸収パネル１９の陥没深さは２ｍｍである。ここで、本実施例の壜体１の高さは３０３ｍｍ、胴部４の長辺側幅Ｗ１は１０６ｍｍ、そして短辺側幅Ｗ２は９０ｍｍであり、底壁１３ｂの陥没深さＤは短辺側の幅Ｗ２の１０％で、４〜１５％の範囲内としている。
そして、このように陥没深さＤを、短辺側の幅Ｗ２の４〜１５％の範囲の深さとすることにより、減圧吸収パネル１３を形成する段部１０の段差を大きくして、この段差を利用して、掴持する指先の係止機能が十分発揮される。
【００３２】
（２）減圧吸収パネル１３内の左右中央の位置に、この減圧吸収パネル１３の底壁１３ｂを平断面で見て凹状にした、コの字状の角溝形状の縦溝リブ１６を縦断形成している。（図６（ａ）、（ｂ）、図７（ｂ）参照）
そして、この縦溝リブ１６は縦リブとしての機能を発揮して、加圧充填工程で内容液を充填する場合にも内圧上昇による減圧吸収パネル１３の反転状の膨出変形を防止することができる。
【００３３】
なお、縦溝リブ１６の幅、溝深さ、断面形状、形成位置等は、膨出変形の抑制機能、指先の係止機能、そして減圧吸収機能等を考慮して適宜決めることができる設計事項であり、さまざまバリエーションがあり、また、縦溝リブ１６は１ケに限定されるものではなく、複数形成することもできる。
【００３４】
ここで、図４（ｂ）は図４(ａ)の平断面と共に掴持する手Ｈを概略的に示した説明図である。この際、一方の平坦壁１１Ｌで第１指の指先をウエスト部６に形成された凹部６ａに嵌入状に当てるようにして、他方の平坦壁１１Ｌでは第２指の指先をこの凹部６ａに当てると共に、第３指、第４指、そして第５指の指先を、減圧吸収パネル１３に当てて、特に第３指と第４指の指先を縦溝リブ１６の端部に引っ掛けるようにして掴持することにより、段部１０の大きな段差も利用しながら、また角壁１２から段部１０にかけての部分をグリップ部Ｇのようにして壜体１を、正立、倒立、あるいは斜め等のさまざまな姿勢でより安定して確実に掴持することができる。
但し、勿論のことではあるが、壜体１の掴持の仕方は限定的なものではなく、使用する人により、また内容液の残量によりさまざまな態様とすることができる。
【００３５】
以上、実施例について本発明の実施の形態、およびその作用効果を説明したが、本発明は上記実施例に限定されるものではない。
たとえば、本発明はＰＥＴ樹脂製以外の合成樹脂製の壜体にも適用でき、壜体の容量も２Ｌに限定されるものではなくさまざまな容量の壜体に適用できる。
【産業上の利用可能性】
【００３６】
本発明は以上説明したように、ウエスト部に形成した凹部と、減圧吸収パネルにより掴持部を構成することにより、角形壜体としての外観、剛性、ライン適正を損なうことなく、掴持性を大幅に改良した角型壜体を低コストで提供するものであり、特に大型の角型壜体の分野で幅広い用途展開が期待される。
【図面の簡単な説明】
【００３７】
【図１】本発明の壜体の一実施例を示す正面図である。
【図２】図１の壜体の側面図である。
【図３】（ａ）は図１中のＡ−Ａ線、（ｂ）はＢ−Ｂ線に沿って示す平断面である。
【図４】（ａ）は図１中のＣ−Ｃ線に沿って示す平断面図であり、（ｂ）は(ａ)の平断面と共に掴持する手を概略的に示した説明図である。
【図５】図１中の減圧吸収パネル近傍の正面図である。
【図６】（ａ）は図５中のＬ−Ｌ線、（ｂ）はＭ−Ｍ線に沿って示す縦断面である。
【図７】（ａ）は図５中のＥ−Ｅ線、（ｂ）はＦ−Ｆ線に沿って示す平断面である。
【符号の説明】
【００３８】
１  ；壜体
２  ；口筒部
３  ；肩部
４  ；胴部
５  ；底部
６  ；ウエスト部
６ａ；凹部
１０；段部
１１；平坦壁
１１Ｌ；平坦壁（長辺側）
１１Ｓ；平坦壁（短辺側）
１２；角壁
１３；減圧吸収パネル
１３ｂ；底壁
１４；横リブ
１６；縦溝リブ
１９；減圧吸収パネル
Ｗ１、Ｗ２；幅
Ｄ；陥没深さ
Ｈ；手
Ｇ；グリップ部
【図１】
2007290762.tif 000003
【図２】
2007290762.tif 000004
【図３】
2007290762.tif 000005
【図４】
2007290762.tif 000006
【図５】
2007290762.tif 000007
【図６】
2007290762.tif 000008
【図７】
2007290762.tif 000009